(57)【要約】【課題】光ディスク装置において、ユーザが装置の設置場所まで移動しなくてもディスクを交換できるようにして、使い勝手をよくする。【解決手段】光ディスク４から情報をロードするローダ部８を装置本体部７のローダ装着部１０に着脱自在とすると共に、ローダ部８が装置本体部７から分離された状態で再生動作できるようにする。すなわち、ローダ部８は、装置本体部７から分離されているとき、光ピックアップ１３によって読み出した情報をパケット処理回路１４によってパケット化し、通信部１５から装置本体部７に送信する。ローダ部８から送信された情報を通信部２１によって受信した装置本体部７は、受信した情報をデコーダ２２によって復号し、デジタル／アナログ変換回路２３によってＤ／Ａ変換し、映像出力回路２４及び音声出力回路２５から出力する。【選択図】図２
2005116134.tif 000002
【特許請求の範囲】
【請求項１】
装置内に装填された光ディスクから映像情報及び音声情報を含んで成るデジタル信号をロードするローダ部と、このローダ部によってロードされたデジタル信号をデコードするデコード手段と、このデコード手段によってデコードされたデジタル信号をアナログ信号に変換するデジタル／アナログ変換回路と、このデジタル／アナログ変換回路によって変換された映像情報のアナログ信号を装置外部に接続されたモニタ装置が処理可能な映像信号に変換して該モニタ装置に出力する映像出力回路と、前記デジタル／アナログ変換回路によって変換された音声情報のアナログ信号を装置外部に接続されたスピーカ装置が処理可能な音声信号に変換して出力する音声出力回路とを備えた光ディスク装置において、
前記ローダ部は、光ディスクを装填するためのトレイと、このトレイに装填された光ディスクを回転駆動する駆動手段と、この駆動手段によって回転駆動された光ディスクにレーザ光を照射することによりデジタル信号を読み出す光ピックアップと、この光ピックアップによって読み出されたデジタル信号をパケット処理するパケット処理手段と、装置本体部と双方向に無線通信可能な第１の通信手段と、該ローダ各部に給電するための蓄電池と、ユーザが操作指令の入力を行なうための操作手段とを有し、かつ、装置本体部に対して着脱自在であり、
装置本体部側に、前記ローダ部の第１の通信手段と双方向に無線通信可能な第２の通信手段と、この第２の通信手段によって受信された信号のパケットの復号を行なうパケット復号手段と、前記蓄電池を充電するための充電装置とをさらに備え、
前記ローダ部が装置本体部から脱離された状態で、前記ローダ部の操作手段を介して装置本体部を遠隔操作可能であり、かつ、前記光ピックアップによって読み出され、パケット処理手段によってパケット処理されたデジタル信号を前記第１の通信手段から前記第２の通信手段に無線送信することにより、光ディスクに記録されている映像及び音声を前記モニタ装置及びスピーカ装置に出力可能であり、
前記ローダ部が装置本体部に装着された状態で、前記充電装置によって前記ローダ部の蓄電池を充電可能であることを特徴とする光ディスク装置。
【請求項２】
装置内に装填された光ディスクから映像情報及び音声情報を含んで成る信号をロードするローダ部と、このローダ部によってロードされた信号をデコードするデコード手段とを備えた光ディスク装置において、
前記ローダ部は、光ディスクを回転駆動する駆動手段と、この駆動手段によって回転駆動された光ディスクに記録された信号を読み出す光ピックアップと、この光ピックアップによって読み出された信号をパケット処理するパケット処理手段と、パケット処理された信号を装置本体部に送信可能な送信手段とを有し、かつ、装置本体部に対して着脱自在であり、
装置本体部側に、前記ローダ部の送信手段から送信された信号を受信可能な受信手段とをさらに備え、
前記ローダ部が装置本体部から脱離された状態で、前記光ピックアップによって読み出され、パケット処理手段によってパケット処理された信号を前記送信手段から前記受信手段に送信することにより、光ディスクに記録されている映像及び音声を再生可能としたことを特徴とする光ディスク装置。
【請求項３】
前記ローダ部は、ユーザが操作指令の入力を行なうための操作手段を有し、該操作手段を介して装置本体部を遠隔操作可能であることを特徴とする請求項２に記載の光ディスク装置。
【発明の詳細な説明】
【技術分野】
【０００１】
本発明は、光ディスクから映像情報及び音声情報を読み出して再生する光ディスク装置に関するものである。
【背景技術】
【０００２】
例えばＤＶＤ（Digital Versatile Disk)等の光ディスクを再生する光ディスク装置においては、光ディスクが装填され、情報をロードするローダ部は、装置本体部に内蔵されているので、光ディスクの交換にあたってユーザが光ディスク装置の設置されている場所まで移動しなければならなかった。
【０００３】
また、ＡＶ機器制御装置においては、主ＡＶ機器と副ＡＶ機器とを双方向制御することにより、主ＡＶ機器から離れた位置に設置した副ＡＶ機器で主ＡＶ機器を制御し、映像や音声を視聴し得るようにしたものが知られている（例えば、特許文献１参照）。また、ポータブルオーディオ再生装置から出力された音声信号を無線転送する機能を備えたポータブルオーディオ再生装置の車載用アダプタが知られている（例えば、特許文献２参照）。さらに、光ディスク再生装置及びパーソナルコンピュータに着脱可能な記録装置が知られている（例えば、特許文献３参照）。
【特許文献１】特開２０００−２５１４５６号公報
【特許文献２】特開平６−３０９８５４号公報
【特許文献３】特開２００２−１５０７５９号公報
【発明の開示】
【発明が解決しようとする課題】
【０００４】
しかしながら、従来の家庭用の光ディスク装置においては、上述したように、光ディスクの交換にあたってユーザが光ディスク装置の設置されている場所まで移動しなければならず、使い勝手が悪かった。また、上記特許文献１に示されたＡＶ制御装置は、別室にある主ＡＶ機器を副ＡＶ機器で遠隔操作するのに適した装置であるが、例えば、主ＡＶ機器が光ディスク装置であって光ディスクを交換する場合にあっては、やはりユーザが主ＡＶ機器の設置場所まで移動しなければならない。また、上記特許文献２に示されたポータブルオーディオ再生装置の車載用アダプタを家庭用の光ディスク装置に適用した場合にあっても、アダプタを所定の場所に設置しなければならないので、ユーザのライフスタイル等に応じて光ディスク装置を自由に移動させることができない。さらに、上記特許文献３に示された記録装置を光ディスク装置に適用しても、光ディスクやハードディスク等の記録媒体の交換に際しては、ユーザが光ディスク装置の設置場所まで移動しなければならない。
【０００５】
本発明は、上記課題を解決するためになされたものであり、ユーザが装置の設置されている場所まで移動することなくディスクを交換することができる、使い勝手のよい光ディスク装置を提供することを目的とする。
【課題を解決するための手段】
【０００６】
上記目的を達成するために請求項１の発明は、装置内に装填された光ディスクから映像情報及び音声情報を含んで成るデジタル信号をロードするローダ部と、このローダ部によってロードされたデジタル信号をデコードするデコード手段と、このデコード手段によってデコードされたデジタル信号をアナログ信号に変換するデジタル／アナログ変換回路と、このデジタル／アナログ変換回路によって変換された映像情報のアナログ信号を装置外部に接続されたモニタ装置が処理可能な映像信号に変換して該モニタ装置に出力する映像出力回路と、デジタル／アナログ変換回路によって変換された音声情報のアナログ信号を装置外部に接続されたスピーカ装置が処理可能な音声信号に変換して出力する音声出力回路とを備えた光ディスク装置において、ローダ部は、光ディスクを装填するためのトレイと、このトレイに装填された光ディスクを回転駆動する駆動手段と、この駆動手段によって回転駆動された光ディスクにレーザ光を照射することによりデジタル信号を読み出す光ピックアップと、この光ピックアップによって読み出されたデジタル信号をパケット処理するパケット処理手段と、装置本体部と双方向に無線通信可能な第１の通信手段と、該ローダ各部に給電するための蓄電池と、ユーザが操作指令の入力を行なうための操作手段とを有し、かつ、装置本体部に対して着脱自在であり、装置本体部側に、ローダ部の第１の通信手段と双方向に無線通信可能な第２の通信手段と、この第２の通信手段によって受信された信号のパケットの復号を行なうパケット復号手段と、蓄電池を充電するための充電装置とをさらに備え、ローダ部が装置本体部から脱離された状態で、ローダ部の操作手段を介して装置本体部を遠隔操作可能であり、かつ、光ピックアップによって読み出され、パケット処理手段によってパケット処理されたデジタル信号を第１の通信手段から第２の通信手段に無線送信することにより、光ディスクに記録されている映像及び音声をモニタ装置及びスピーカ装置に出力可能であり、ローダ部が装置本体部に装着された状態で、充電装置によってローダ部の蓄電池を充電可能であるものである。
【０００７】
請求項２の発明は、装置内に装填された光ディスクから映像情報及び音声情報を含んで成る信号をロードするローダ部と、このローダ部によってロードされた信号をデコードするデコード手段とを備えた光ディスク装置において、ローダ部は、光ディスクを回転駆動する駆動手段と、この駆動手段によって回転駆動された光ディスクに記録された信号を読み出す光ピックアップと、この光ピックアップによって読み出された信号をパケット処理するパケット処理手段と、パケット処理された信号を装置本体部に送信可能な送信手段とを有し、かつ、装置本体部に対して着脱自在であり、装置本体部側に、ローダ部の送信手段から送信された信号を受信可能な受信手段とをさらに備え、ローダ部が装置本体部から脱離された状態で、光ピックアップによって読み出され、パケット処理手段によってパケット処理された信号を送信手段から受信手段に送信することにより、光ディスクに記録されている映像及び音声を再生可能としたものである。
【０００８】
請求項３の発明は、請求項２に記載の光ディスク装置において、ローダ部は、ユーザが操作指令の入力を行なうための操作手段を有し、該操作手段を介して装置本体部を遠隔操作可能であるものである。
【発明の効果】
【０００９】
請求項１の発明によれば、装置本体部から脱離されたローダ部によって光ディスクに記録されている映像情報及び音声情報をロードして装置本体部に無線送信することにより、装置本体部に接続されているモニタ装置及びスピーカ装置から映像及び音声を出力することができるので、ユーザは、ローダ部を手元に置いておけば、光ディスクの交換時に光ディスク装置が設置されている場所まで移動する必要がなくなり、光ディスク装置の使い勝手を高めることができる。また、装置本体部から分離されたローダ部が、光ディスク装置に操作指令を入力するための操作部を有しているので、ユーザは、装置本体部から分離したローダ部を手元において、リモコン装置の替わりとしても使用することができる。また、光ディスク装置を使用しないときには、ローダ部を装置本体部に装着することにより、ローダ部をコンパクトに収容しながら蓄電池の充電を行なうことができるので、光ディスク装置の使い勝手がさらに高められる。
【００１０】
請求項２の発明によれば、装置本体部から脱離されたローダ部によって光ディスクに記録されている映像情報及び音声情報をロードして装置本体部に送信することにより、装置本体部に接続されているモニタ装置及びスピーカ装置から映像及び音声を出力することができるので、ユーザは、ローダ部を手元に置いておけば、光ディスクの交換時に光ディスク装置が設置されている場所まで移動する必要がなくなり、光ディスク装置の使い勝手を高めることができる。
【００１１】
請求項３の発明によれば、ユーザは、装置本体部から分離したローダ部を手元において、リモコン装置の替わりとしても使用することができる。
【発明を実施するための最良の形態】
【００１２】
本発明を実施するための最良の実施形態による光ディスク装置について図面を参照して説明する。図１は光ディスク装置を用いた、いわゆるホームシアタシステムを示している。ホームシアタシステムは、光ディスク４に記録された映像及び音声情報を再生するための光ディスク装置１と、光ディスク装置１が再生した映像情報を表示するモニタ装置２と、光ディスク装置１が再生した音声情報を出力するスピーカ装置３等によって構成されている。
【００１３】
光ディスク装置１は、通常、モニタ装置２と共にＡＶラック５に収容され、ユーザがくつろぐためのソファセット６と対向する位置に設置されている。光ディスク装置１は、装置の主要部を収容する装置本体部７と、光ディスク４から映像情報及び音声情報をロードするローダ部８と、光ディスク装置１を遠隔操作するためのリモコン装置（リモートコントローラ）９等によって構成されている。ローダ部８は装置本体部７に設けられたローダ装着部１０に着脱自在であり、ユーザは、ローダ部８を装置本体部７から適宜、脱離（分離）させて、ソファセット６のテーブル６ａの上等に載置することができる。
【００１４】
図２は、装置本体部７とローダ部８の構成を示している。ローダ部８は、光ディスク４を装填するためのトレイ１１と、トレイ１１に装填された光ディスク４を回転駆動するディスク駆動部（駆動手段）１２と、ディスク駆動部１２によって回転駆動された光ディスク４にレーザ光を照射することにより光ディスク４に記録されているデジタル信号を読み出す光ピックアップ１３と、光ピックアップ１３によって読み出されたデジタル信号をパケット処理するパケット処理回路１４と、装置本体部７と双方向の無線通信を行なう通信部（第１の通信手段）１５と、ローダ各部に給電するための蓄電池１６と、ユーザが操作指令の入力を行なうための操作部（操作手段）１７と、ローダ部８の各部の制御を司る制御部１８等によって構成されている。
【００１５】
装置本体部７は、ローダ部８の通信部１５と双方向の無線通信を行なう通信部（第２の通信手段）２１と、通信部２１によって受信されたデジタル信号のパケットの復号とデコードを行なうデコーダ（パケット復号手段、デコード手段）２２と、デコーダ２２によってデコードされたデジタル信号をアナログ信号に変換するデジタル／アナログ変換回路２３と、デジタル／アナログ変換回路２３によって変換された映像情報のアナログ信号をモニタ装置２が処理可能な映像信号に変換してモニタ装置２に出力する映像出力回路２４と、デジタル／アナログ変換回路２３によって変換された音声情報のアナログ信号をスピーカ装置３が処理可能な音声信号に変換して出力する音声出力回路２５と、ローダ部８がローダ装着部１０に装着されたとき、ローダ部８に内蔵されている蓄電池１６を充電するための充電装置２６と、リモコン装置９から赤外線を介して出力された操作指令信号を受光するリモコン受光部２７と、装置本体部７の各部に給電する電源部２８と、装置本体部７の各部の制御を司る制御部２９等によって構成されている。モニタ装置２がデジタルの映像信号の入力に対応している場合は、映像情報のデジタル信号を、デジタル／アナログ変換回路２３によってデジタル／アナログ変換することなく、映像出力回路２４を通じてモニタ装置２に出力する。この場合の映像出力回路はデジタル信号を処理する回路とされる。
【００１６】
ローダ部８の通信部１５と装置本体部７の通信部２１とは、無線ＬＡＮ（Wireless Local Area Network）によって双方向に通信可能とされている。従って、リモコン装置９から装置本体部７に入力された操作指令をローダ部８に転送することも可能である。また、ローダ部８と装置本体部７とは、必ずしも一対一で対応している必要はなく、一台のローダ部８は複数の装置本体部７と通信可能であり、また、一台の装置本体部７は、複数のローダ部８と通信可能である。なお、通信部１５と通信部２１の間の通信には、Bluetooth（登録商標）を用いても構わない。
【００１７】
上記構成の光ディスク装置１の再生動作について、図３を参照して説明する。まず、操作部１７より再生指令が入力されると（＃１）、制御部１８は、ディスク駆動部１２を駆動させて（＃２）、光ピックアップ１３によって光ディスク４に記録された映像情報及び音声情報を含むデジタル信号を読み取る（＃３）。次に、光ピックアップ１３によって読み取られたデジタル信号をパケット処理回路１４によってパケット化し（＃４）、通信部１５から装置本体部７に送信する（＃５）。一方、装置本体部７の制御部２９は、通信部２１がローダ部８の通信部１５から送信されたデジタル信号を受信すると（＃６）、デコーダ２２にパケットの復号及びデジタル信号のデコードを実行させる（＃７）。そして、デコーダ２２によってデコードされたデジタル信号をデジタル／アナログ変換回路２３によってアナログ信号に変換させた後（＃８）、映像出力回路２４及び音声出力回路２５によってモニタ装置２及びスピーカ装置３が処理可能な映像信号及び音声信号に変換させて、モニタ装置２及びスピーカ装置３に出力させる（＃９）。
【００１８】
以上のように、本実施形態の光ディスク装置１によれば、装置本体部７から脱離されたローダ部８によって光ディスク４に記録されている映像情報及び音声情報をロードして装置本体部７に無線送信することにより、モニタ装置２及びスピーカ装置３から映像及び音声を出力することができるので、ユーザは、ローダ部を手元に置いておけば、光ディスク４の交換時に光ディスク装置１が設置されている場所、すなわち、ＡＶラック５の位置まで移動する必要がなくなり、光ディスク装置１の使い勝手を高めることができる。このとき、装置本体部７から分離されたローダ部８は、光ディスク装置１に操作指令を入力するための操作部１７を有しているので、ユーザは装置本体部７から分離したローダ部８を手元において、リモコン装置９の替わりとしても使用することができ、光ディスク装置１の利便性が高められる。また、光ディスク装置１を使用しないときには、ローダ部８を装置本体部７に装着することによりコンパクトに収容しながら蓄電池１６の充電を行なうことができるので、光ディスク装置１の使い勝手がさらに高められる。
【００１９】
なお、本発明は上記実施形態の構成に限られることなく種々の変形が可能であり、例えば、ローダ部８の通信部１５と装置本体部７の通信部２１との間の通信は、無線によるものに限られることなく、良好な電波状況を確保できない場合には、ＬＡＮケーブル等を用いた有線通信であってもよい。また、その通信は双方向に限られることなく、通信部１５から通信部２１への一方向のみであっても構わない。また、ローダ部８によってロードされる信号はデジタル信号に限られることなく、アナログ信号であってもよい。この場合にあっては、デジタル／アナログ変換回路２３を省略して光ディスク装置１を構成することができる。
【図面の簡単な説明】
【００２０】
【図１】本発明の一実施形態による光ディスク装置を用いたホームシアタシステムを示す斜視図。
【図２】同装置の構成を示すブロック図。
【図３】光ディスクを再生するときの同装置の動作を示すフローチャート。
【符号の説明】
【００２１】
１    光ディスク装置
２    モニタ装置
３    スピーカ装置
４    光ディスク
７    装置本体部
８    ローダ部
１１    トレイ
１２    ディスク駆動部（駆動手段）
１３    光ピックアップ
１４    パケット処理回路
１５    通信部（第１の通信手段）
１６    蓄電池
１７    操作部（操作手段）
２１    通信部（第２の通信手段）
２２    デコーダ（パケット復号手段、デコード手段）
２３    デジタル／アナログ変換回路
２４    映像出力回路
２５    音声出力回路
２６    充電装置
【図１】
2005116134.tif 000003
【図２】
2005116134.tif 000004
【図３】
2005116134.tif 000005